(57)【特許請求の範囲】
【請求項１】
医療ガス設備の異常を設備関係者に報知する監視・警報システムであって、
各種医療ガスを供給する複数の供給設備と、前記設備関係者が視認し得る警報を発報する可視警報手段、及び前記設備関係者が聴取し得る警報を発報する可聴警報手段を有し、前記供給設備の状態を監視する監視・警報装置とを備え、
前記監視・警報装置は、
前記供給設備に異常が発生した場合に、当該異常が発生したことを示す情報信号の入力を受け付ける情報信号入力受付部と、
前記情報信号入力受付部が異常の発生を示す情報信号の入力を受け付けた場合に、前記異常が発生した供給設備を復旧すべく所定の手続を行うよう前記設備関係者に催促する旨の可視警報及び可聴警報を生成する手続催促警報生成部と、
前記可聴警報手段によって警報が発報され続けることを停止するよう要求する旨の入力を受け付ける停止要求入力受付部と、
前記異常が発生した供給設備を復旧すべく所定の手続を行ったことを通知する旨の入力を受け付ける手続通知入力受付部と、
前記手続通知入力受付部が入力を受け付けるまでの間、前記手続催促警報生成部が生成した可視警報を含む警報を前記可視警報手段に出力する可視警報出力部と、
前記停止要求入力受付部が入力を受け付けるまでの間、前記手続催促警報生成部が生成した可聴警報を前記可聴警報手段に出力する可聴警報出力部と、
前記手続通知入力受付部が入力を受け付けた場合に、前記異常が発生した供給設備の復旧作業に着手されているか否かを確認するよう前記設備関係者に催促する旨の可視警報及び可聴警報を生成する着手催促警報生成部と、
前記異常が発生した供給設備の復旧作業に着手されていることを通知する旨の入力を受け付ける着手通知入力受付部と
を有し、
前記可視警報出力部は、前記着手通知入力受付部が入力を受け付けるまでの間、前記着手催促警報生成部が生成した可視警報を更に含む警報を前記可視警報手段に出力し、
前記可聴警報出力部は、前記着手催促警報生成部が生成した可視警報を更に含む警報を前記可視警報出力部が出力してから所定時間以内に、前記着手通知入力受付部が入力を受け付けなかった場合、前記停止要求入力受付部が入力を受け付けるまでの間、前記着手催促警報生成部が生成した可聴警報を前記可聴警報手段に出力する監視・警報システム。
【請求項２】
前記可聴警報出力部は、前記停止要求入力受付部が入力を受け付けてから所定時間以内に、前記手続通知入力受付部が入力を受け付けなかった場合、前記手続催促警報生成部が生成した可聴警報を前記可聴警報手段に再度出力する
請求項１に記載の監視・警報システム。
【請求項３】
前記可聴警報出力部は、前記停止要求入力受付部が入力を受け付けてから所定時間以内に、前記着手通知入力受付部が入力を受け付けなかった場合、前記着手催促警報生成部が生成した可聴警報を前記可聴警報手段に再度出力する
請求項１又は請求項２に記載の監視・警報システム。
【請求項４】
前記監視・警報装置は、
前記着手通知入力受付部が入力を受け付けた場合に、前記供給設備の異常が復旧したことを確認するよう前記設備関係者に要求する旨の可視警報を生成する復旧確認警報生成部を更に有する
請求項１ないし請求項３のいずれか１項に記載の監視・警報システム。
【請求項５】
医療ガス設備の異常を設備関係者に報知する監視・警報システムであって、
各種医療ガスを供給する複数の供給設備と、前記設備関係者が視認し得る警報を発報する可視警報手段、及び前記設備関係者が聴取し得る警報を発報する可聴警報手段を有し、前記供給設備の状態を監視する監視・警報装置とを備え、
前記監視・警報装置は、
前記供給設備に異常が発生した場合に、当該異常が発生したことを示す情報信号の入力を受け付ける情報信号入力受付部と、
前記情報信号入力受付部が異常の発生を示す情報信号の入力を受け付けた場合に、前記異常が発生した供給設備を復旧すべく所定の手続を行うよう前記設備関係者に催促する旨の可視警報及び可聴警報を生成する手続催促警報生成部と、
前記可聴警報手段によって警報が発報され続けることを停止するよう要求する旨の入力を受け付ける停止要求入力受付部と、
前記異常が発生した供給設備を復旧すべく所定の手続を行ったことを通知する旨の入力を受け付ける手続通知入力受付部と、
前記手続通知入力受付部が入力を受け付けるまでの間、前記手続催促警報生成部が生成した可視警報を含む警報を前記可視警報手段に出力する可視警報出力部と、
前記停止要求入力受付部が入力を受け付けるまでの間、前記手続催促警報生成部が生成した可聴警報を前記可聴警報手段に出力する可聴警報出力部とを有し、
前記情報信号入力受付部は、前記供給設備の異常が復旧した場合、当該異常が復旧したことを示す情報信号の入力を受け付け、
前記監視・警報装置は、
前記情報信号入力受付部が前記供給設備の異常の復旧を示す情報信号の入力を受け付けた後にのみ、前記供給設備の復旧を確認したことを通知する旨の入力を受け付ける復旧確認入力受付部を更に有する監視・警報システム。
【請求項６】
前記可視警報出力部及び前記可聴警報出力部は、前記情報信号入力受付部が異常の復旧を示す情報信号の入力を受け付けた場合、警報の出力を停止する
請求項５に記載の監視・警報システム。
【請求項７】
設備関係者が視認し得る警報を発報する可視警報手段、及び前記設備関係者が聴取し得る警報を発報する可聴警報手段を有し、供給設備の状態を監視する監視・警報装置であって、
前記供給設備に異常が発生した場合に、当該異常が発生したことを示す情報信号の入力を受け付ける情報信号入力受付部と、
前記情報信号入力受付部が異常の発生を示す情報信号の入力を受け付けた場合に、前記異常が発生した供給設備を復旧すべく所定の手続を行うよう前記設備関係者に催促する旨の可視警報及び可聴警報を生成する手続催促警報生成部と、
前記可聴警報手段によって警報が発報され続けることを停止するよう要求する旨の入力を受け付ける停止要求入力受付部と、
前記異常が発生した供給設備を復旧すべく所定の手続を行ったことを通知する旨の入力を受け付ける手続通知入力受付部と、
前記手続通知入力受付部が入力を受け付けるまでの間、前記手続催促警報生成部が生成した可視警報を含む警報を前記可視警報手段に出力する可視警報出力部と、
前記停止要求入力受付部が入力を受け付けるまでの間、前記手続催促警報生成部が生成した可聴警報を前記可聴警報手段に出力する可聴警報出力部と、
前記手続通知入力受付部が入力を受け付けた場合に、前記異常が発生した供給設備の復旧作業に着手されているか否かを確認するよう前記設備関係者に催促する旨の可視警報及び可聴警報を生成する着手催促警報生成部と、
前記異常が発生した供給設備の復旧作業に着手されていることを通知する旨の入力を受け付ける着手通知入力受付部と
を有し、
前記可視警報出力部は、前記着手通知入力受付部が入力を受け付けるまでの間、前記着手催促警報生成部が生成した可視警報を更に含む警報を前記可視警報手段に出力し、
前記可聴警報出力部は、前記着手催促警報生成部が生成した可視警報を更に含む警報を前記可視警報出力部が出力してから所定時間以内に、前記着手通知入力受付部が入力を受け付けなかった場合、前記停止要求入力受付部が入力を受け付けるまでの間、前記着手催促警報生成部が生成した可聴警報を前記可聴警報手段に出力する監視・警報装置。
【請求項８】
設備関係者が視認し得る警報を発報する可視警報手段、及び前記設備関係者が聴取し得る警報を発報する可聴警報手段を有し、供給設備の状態を監視する監視・警報装置であって、
前記供給設備に異常が発生した場合に、当該異常が発生したことを示す情報信号の入力を受け付ける情報信号入力受付部と、
前記情報信号入力受付部が異常の発生を示す情報信号の入力を受け付けた場合に、前記異常が発生した供給設備を復旧すべく所定の手続を行うよう前記設備関係者に催促する旨の可視警報及び可聴警報を生成する手続催促警報生成部と、
前記可聴警報手段によって警報が発報され続けることを停止するよう要求する旨の入力を受け付ける停止要求入力受付部と、
前記異常が発生した供給設備を復旧すべく所定の手続を行ったことを通知する旨の入力を受け付ける手続通知入力受付部と、
前記手続通知入力受付部が入力を受け付けるまでの間、前記手続催促警報生成部が生成した可視警報を含む警報を前記可視警報手段に出力する可視警報出力部と、
前記停止要求入力受付部が入力を受け付けるまでの間、前記手続催促警報生成部が生成した可聴警報を前記可聴警報手段に出力する可聴警報出力部とを有し、
前記情報信号入力受付部は、前記供給設備の異常が復旧した場合、当該異常が復旧したことを示す情報信号の入力を受け付け、
前記監視・警報装置は、
前記情報信号入力受付部が前記供給設備の異常の復旧を示す情報信号の入力を受け付けた後にのみ、前記供給設備の復旧を確認したことを通知する旨の入力を受け付ける復旧確認入力受付部を更に有する監視・警報装置。
【請求項９】
設備関係者が視認し得る警報を発報する可視警報手段、及び前記設備関係者が聴取し得る警報を発報する可聴警報手段を有し、供給設備の状態を監視する監視・警報装置を制御する制御方法であって、
前記供給設備に異常が発生した場合に、当該異常が発生したことを示す情報信号の入力を受け付ける情報信号入力受付段階と、
前記情報信号入力受付段階において異常の発生を示す情報信号の入力が受け付けられた場合に、前記異常が発生した供給設備を復旧すべく所定の手続を行うよう前記設備関係者に催促する旨の可視警報及び可聴警報を生成する手続催促警報生成段階と、
前記可聴警報手段によって警報が発報され続けることを停止するよう要求する旨の入力を受け付ける停止要求入力受付段階と、
前記異常が発生した供給設備を復旧すべく所定の手続を行ったことを通知する旨の入力を受け付ける手続通知入力受付段階と、
前記手続通知入力受付段階において入力が受け付けられるまでの間、前記手続催促警報生成段階において生成された可視警報を含む警報を前記可視警報手段に出力する可視警報出力段階と、
前記停止要求入力受付段階において入力が受け付けられるまでの間、前記手続催促警報生成段階において生成された可聴警報を前記可聴警報手段に出力する可聴警報出力段階と、
前記手続通知入力受付段階において入力を受け付けた場合に、前記異常が発生した供給設備の復旧作業に着手されているか否かを確認するよう前記設備関係者に催促する旨の可視警報及び可聴警報を生成する着手催促警報生成段階と、
前記異常が発生した供給設備の復旧作業に着手されていることを通知する旨の入力を受け付ける着手通知入力受付段階と、
前記着手通知入力受付段階において入力を受け付けるまでの間、前記着手催促警報生成段階において生成された可視警報を更に含む警報を前記可視警報手段に出力する段階と、
前記着手催促警報生成段階において生成された可視警報を更に含む警報が出力されてから所定時間以内に、前記着手通知入力受付段階において入力を受け付けなかった場合、前記停止要求入力受付段階において入力を受け付けるまでの間、前記着手催促警報生成段階において生成された可聴警報を前記可聴警報手段に出力する段階を備える制御方法。
【請求項１０】
設備関係者が視認し得る警報を発報する可視警報手段、及び前記設備関係者が聴取し得る警報を発報する可聴警報手段を有し、供給設備の状態を監視する監視・警報装置を制御する制御方法であって、
前記供給設備に異常が発生した場合に、当該異常が発生したことを示す情報信号の入力を受け付ける情報信号入力受付段階と、
前記情報信号入力受付段階において異常の発生を示す情報信号の入力が受け付けられた場合に、前記異常が発生した供給設備を復旧すべく所定の手続を行うよう前記設備関係者に催促する旨の可視警報及び可聴警報を生成する手続催促警報生成段階と、
前記可聴警報手段によって警報が発報され続けることを停止するよう要求する旨の入力を受け付ける停止要求入力受付段階と、
前記異常が発生した供給設備を復旧すべく所定の手続を行ったことを通知する旨の入力を受け付ける手続通知入力受付段階と、
前記手続通知入力受付段階において入力が受け付けられるまでの間、前記手続催促警報生成段階において生成された可視警報を含む警報を前記可視警報手段に出力する可視警報出力段階と、
前記停止要求入力受付段階において入力が受け付けられるまでの間、前記手続催促警報生成段階において生成された可聴警報を前記可聴警報手段に出力する可聴警報出力段階と、
前記供給設備の異常が復旧した場合、当該異常が復旧したことを示す情報信号の入力を受け付ける段階と、
前記供給設備の異常の復旧を示す情報信号の入力を受け付けた後にのみ、前記供給設備の復旧を確認したことを通知する旨の入力を受け付ける復旧確認入力受付段階を備える制御方法。
【請求項１１】
設備関係者が視認し得る警報を発報する可視警報手段、及び前記設備関係者が聴取し得る警報を発報する可聴警報手段を有し、供給設備の状態を監視する監視・警報装置用のプログラムであって、前記監視・警報装置を、
前記供給設備に異常が発生した場合に、当該異常が発生したことを示す情報信号の入力を受け付ける情報信号入力受付部、
前記情報信号入力受付部が異常の発生を示す情報信号の入力を受け付けた場合に、前記異常が発生した供給設備を復旧すべく所定の手続を行うよう前記設備関係者に催促する旨の可視警報及び可聴警報を生成する手続催促警報生成部、
前記可聴警報手段によって警報が発報され続けることを停止するよう要求する旨の入力を受け付ける停止要求入力受付部、
前記異常が発生した供給設備を復旧すべく所定の手続を行ったことを通知する旨の入力を受け付ける手続通知入力受付部、
前記手続通知入力受付部が入力を受け付けるまでの間、前記手続催促警報生成部が生成した可視警報を含む警報を前記可視警報手段に出力する可視警報出力部、
前記停止要求入力受付部が入力を受け付けるまでの間、前記手続催促警報生成部が生成した可聴警報を前記可聴警報手段に出力する可聴警報出力部、
前記手続通知入力受付部が入力を受け付けた場合に、前記異常が発生した供給設備の復旧作業に着手されているか否かを確認するよう前記設備関係者に催促する旨の可視警報及び可聴警報を生成する着手催促警報生成部、
前記異常が発生した供給設備の復旧作業に着手されていることを通知する旨の入力を受け付ける着手通知入力受付部、
として機能させ、
前記可視警報出力部は、前記着手通知入力受付部が入力を受け付けるまでの間、前記着手催促警報生成部が生成した可視警報を更に含む警報を前記可視警報手段に出力し、
前記可聴警報出力部は、前記着手催促警報生成部が生成した可視警報を更に含む警報を前記可視警報出力部が出力してから所定時間以内に、前記着手通知入力受付部が入力を受け付けなかった場合、前記停止要求入力受付部が入力を受け付けるまでの間、前記着手催促警報生成部が生成した可聴警報を前記可聴警報手段に出力するプログラム。
【請求項１２】
設備関係者が視認し得る警報を発報する可視警報手段、及び前記設備関係者が聴取し得る警報を発報する可聴警報手段を有し、供給設備の状態を監視する監視・警報装置用のプログラムであって、前記監視・警報装置を、
前記供給設備に異常が発生した場合に、当該異常が発生したことを示す情報信号の入力を受け付ける情報信号入力受付部、
前記情報信号入力受付部が異常の発生を示す情報信号の入力を受け付けた場合に、前記異常が発生した供給設備を復旧すべく所定の手続を行うよう前記設備関係者に催促する旨の可視警報及び可聴警報を生成する手続催促警報生成部、
前記可聴警報手段によって警報が発報され続けることを停止するよう要求する旨の入力を受け付ける停止要求入力受付部、
前記異常が発生した供給設備を復旧すべく所定の手続を行ったことを通知する旨の入力を受け付ける手続通知入力受付部、
前記手続通知入力受付部が入力を受け付けるまでの間、前記手続催促警報生成部が生成した可視警報を含む警報を前記可視警報手段に出力する可視警報出力部、
前記停止要求入力受付部が入力を受け付けるまでの間、前記手続催促警報生成部が生成した可聴警報を前記可聴警報手段に出力する可聴警報出力部、
として機能させ、
前記情報信号入力受付部は、前記供給設備の異常が復旧した場合、当該異常が復旧したことを示す情報信号の入力を受け付け、
前記プログラムは、前記監視・警報装置を、
前記情報信号入力受付部が前記供給設備の異常の復旧を示す情報信号の入力を受け付けた後にのみ、前記供給設備の復旧を確認したことを通知する旨の入力を受け付ける復旧確認入力受付部として更に機能させるプログラム。
【発明の詳細な説明】
【技術分野】
【０００１】
本発明は、監視・警報システム、監視・警報装置、制御方法、及びプログラムに関する。特に本発明は、医療ガス設備の異常を設備関係者に報知する監視・警報システム、設備関係者が視認し得る警報を発報する可視警報手段、及び設備関係者が聴取し得る警報を発報する可聴警報手段を有し、供給設備内の供給源装置の状態を監視する監視・警報装置、当該制御装置を制御する制御方法、並びに当該制御装置用のプログラムに関する。
【背景技術】
【０００２】
多くの医療施設は、患者の治療のための医療用圧縮ガス用、吸引用、呼吸装置用、手術機器駆動用、及び麻酔ガス排除用に医療ガス配管設備を使用している。これらの医療ガス配管設備に対する要求事項は、日本工業規格（規格番号ＪＩＳ  Ｔ  ７１０１）によって規定されている（例えば、非特許文献１及び非特許文献２参照。）。非特許文献１には、１９９７に改正された規定内容（以下、旧規定と称する。）が記載されている。また、非特許文献２には、２００６年に改正された規定内容（以下、新規定と称する。）が記載されている。
【０００３】
ところで、医療ガス配管設備は、供給設備、監視・警報設備、送気配管、並びに医療ガス、吸引及び麻酔ガス排除を必要とする場所に設けた配管端末器を含む系統的な配管設備である。そのうち、監視・警報設備は、医療ガス設備の情報信号を連続して観察し、異常を設備関係者に知らせる設備である。旧規定及び新規定には、監視・警報設備に対する要求事項も詳細に規定されている。
【０００４】
例えば、旧規定には、異常を設備関係者に知らせるにあたり、異常の程度にかかわらず可聴信号と点滅する可視信号とによって警報を発報するよう規定されている。また、旧規定には、監視・警報設備に設けられている警報を停止するためのボタンが押下操作された場合、異常が復旧するまでの間、可視信号による警告を点滅から点灯に切り換えると共に、可聴信号による警告を停止せずに音量を下げて発報し続けるよう規定されている。多くの医療施設は、このような旧規定の規定内容に基づいて動作する監視・警報設備を使用している。
【０００５】
一方、新規定には、異常を設備関係者に知らせるにあたり、警報の内容がガスの補充、又は誤作動の是正を要することを報知せしめるものである場合、可聴信号による警報を発報せず、可視信号のみによって警報を発報してもよいことが規定されている。
【先行技術文献】
【非特許文献】
【０００６】
【非特許文献１】「医療ガス配管設備  ＪＩＳ  Ｔ７１０１」、日本規格協会、１９９７年
【非特許文献２】「医療ガス配管設備  ＪＩＳ  Ｔ７１０１」、日本規格協会、２００６年
【発明の概要】
【発明が解決しようとする課題】
【０００７】
しかしながら、旧規定に基づいて動作する監視・警報設備は、警報を停止するためのボタンが押下操作されると、異常の程度の如何に関わらず、異常が復旧するまで可聴信号の音量を下げて発報し続ける。そのため、可聴信号による警報は、環境騒音が大きいと設備関係者に気付かれ難く、環境騒音が小さいと煩わしいという問題がある。特に、ガスの補充、又は誤作動の是正を要することを報知する警報は、あまり緊急性を要しないために、このような状態が放置されてしまうこともある。
【０００８】
これに対し、新規定に基づいて動作する監視・警報設備は、ガスの補充、又は誤作動の是正を要することを報知する警報を発報する場合、可聴信号による警報を発報しないようにすることによって、上記のような問題を回避することが考えられる。
【０００９】
しかしながら、可聴信号による警報が発報されない場合、設備関係者は、監視・警報設備の可視信号を目視することによってしか、ガスの補充、又は誤作動の是正を要することを報知する警報を確認することができなくなってしまう。また、上記のように、この種の警報はあまり緊急性を要しないという性質がある。そのため、設備関係者は、この警報を確認するためだけに、監視・警報設備の可視信号をわざわざ目視確認しない可能性もあり、却って異常の復旧が遅れてしまう虞がある。
【００１０】
また、医療ガス配管設備の各供給設備へのガスの供給等の管理は、外部の指定業者によって行われる。一方、監視・警報設備が設置される施設は、医療施設である。そのため、監視・警報設備が発報する警報を実際に確認する設備関係者は、医療関係者や夜間警備員ということになる。しかしながら、このような設備関係者の中には、可視信号や可聴信号による警報を確認しただけでは、如何なる手続をとればよいか正確に判らない者も含まれている。そのため、そのような者は、警報を確認した場合、その手続に詳しい者に指示を仰がなければならないという手間が生じる。
【課題を解決するための手段】
【００１１】
上記課題を解決するために、本発明の第１の形態によると、医療ガス設備の異常を設備関係者に報知する監視・警報システムであって、各種医療ガスを供給する複数の供給設備と、前記設備関係者が視認し得る警報を発報する可視警報手段、及び前記設備関係者が聴取し得る警報を発報する可聴警報手段を有し、前記供給設備の状態を監視する監視・警報装置とを備え、前記監視・警報装置は、前記供給設備に異常が発生した場合に、当該異常が発生したことを示す情報信号の入力を受け付ける情報信号入力受付部と、前記情報信号入力受付部が異常の発生を示す情報信号の入力を受け付けた場合に、前記異常が発生した供給設備を復旧すべく所定の手続を行うよう前記設備関係者に催促する旨の可視警報及び可聴警報を生成する手続催促警報生成部と、前記可聴警報手段によって警報が発報され続けることを停止するよう要求する旨の入力を受け付ける停止要求入力受付部と、前記異常が発生した供給設備を復旧すべく所定の手続を行ったことを通知する旨の入力を受け付ける手続通知入力受付部と、前記手続通知入力受付部が入力を受け付けるまでの間、前記手続催促警報生成部が生成した可視警報を含む警報を前記可視警報手段に出力する可視警報出力部と、前記停止要求入力受付部が入力を受け付けるまでの間、前記手続催促警報生成部が生成した可聴警報を前記可聴警報手段に出力する可聴警報出力部と、前記手続通知入力受付部が入力を受け付けた場合に、前記異常が発生した供給設備の復旧作業に着手されているか否かを確認するよう前記設備関係者に催促する旨の可視警報及び可聴警報を生成する着手催促警報生成部と、前記異常が発生した供給設備の復旧作業に着手されていることを通知する旨の入力を受け付ける着手通知入力受付部とを有し、前記可視警報出力部は、前記着手通知入力受付部が入力を受け付けるまでの間、前記着手催促警報生成部が生成した可視警報を更に含む警報を前記可視警報手段に出力し、前記可聴警報出力部は、前記着手催促警報生成部が生成した可視警報を更に含む警報を前記可視警報出力部が出力してから所定時間以内に、前記着手通知入力受付部が入力を受け付けなかった場合、前記停止要求入力受付部が入力を受け付けるまでの間、前記着手催促警報生成部が生成した可聴警報を前記可聴警報手段に出力する。
【００１２】
可聴警報出力部は、停止要求入力受付部が入力を受け付けてから所定時間以内に、手続通知入力受付部が入力を受け付けなかった場合、手続催促警報生成部が生成した可聴警報を可聴警報手段に再度出力してよい。
【００１４】
可聴警報出力部は、停止要求入力受付部が入力を受け付けてから所定時間以内に、着手通知入力受付部が入力を受け付けなかった場合、着手催促警報生成部が生成した可聴警報を可聴警報手段に再度出力してよい。
【００１５】
監視・警報装置は、着手通知入力受付部が入力を受け付けた場合に、供給設備の異常が復旧したことを確認するよう設備関係者に要求する旨の可視警報を生成する復旧確認警報生成部を更に有してよい。
【００１６】
また、本発明の第１の形態では、医療ガス設備の異常を設備関係者に報知する監視・警報システムであって、各種医療ガスを供給する複数の供給設備と、前記設備関係者が視認し得る警報を発報する可視警報手段、及び前記設備関係者が聴取し得る警報を発報する可聴警報手段を有し、前記供給設備の状態を監視する監視・警報装置とを備え、前記監視・警報装置は、前記供給設備に異常が発生した場合に、当該異常が発生したことを示す情報信号の入力を受け付ける情報信号入力受付部と、前記情報信号入力受付部が異常の発生を示す情報信号の入力を受け付けた場合に、前記異常が発生した供給設備を復旧すべく所定の手続を行うよう前記設備関係者に催促する旨の可視警報及び可聴警報を生成する手続催促警報生成部と、前記可聴警報手段によって警報が発報され続けることを停止するよう要求する旨の入力を受け付ける停止要求入力受付部と、前記異常が発生した供給設備を復旧すべく所定の手続を行ったことを通知する旨の入力を受け付ける手続通知入力受付部と、前記手続通知入力受付部が入力を受け付けるまでの間、前記手続催促警報生成部が生成した可視警報を含む警報を前記可視警報手段に出力する可視警報出力部と、前記停止要求入力受付部が入力を受け付けるまでの間、前記手続催促警報生成部が生成した可聴警報を前記可聴警報手段に出力する可聴警報出力部とを有し、前記情報信号入力受付部は、前記供給設備の異常が復旧した場合、当該異常が復旧したことを示す情報信号の入力を受け付け、前記監視・警報装置は、前記情報信号入力受付部が前記供給設備の異常の復旧を示す情報信号の入力を受け付けた後にのみ、前記供給設備の復旧を確認したことを通知する旨の入力を受け付ける復旧確認入力受付部を更に有する。
【００１７】
可視警報出力部及び可聴警報出力部は、情報信号入力受付部が異常の復旧を示す情報信号の入力を受け付けた場合、警報の出力を停止してよい。
【００１９】
本発明の第２の形態によると、設備関係者が視認し得る警報を発報する可視警報手段、及び前記設備関係者が聴取し得る警報を発報する可聴警報手段を有し、供給設備の状態を監視する監視・警報装置であって、前記供給設備に異常が発生した場合に、当該異常が発生したことを示す情報信号の入力を受け付ける情報信号入力受付部と、前記情報信号入力受付部が異常の発生を示す情報信号の入力を受け付けた場合に、前記異常が発生した供給設備を復旧すべく所定の手続を行うよう前記設備関係者に催促する旨の可視警報及び可聴警報を生成する手続催促警報生成部と、前記可聴警報手段によって警報が発報され続けることを停止するよう要求する旨の入力を受け付ける停止要求入力受付部と、前記異常が発生した供給設備を復旧すべく所定の手続を行ったことを通知する旨の入力を受け付ける手続通知入力受付部と、前記手続通知入力受付部が入力を受け付けるまでの間、前記手続催促警報生成部が生成した可視警報を含む警報を前記可視警報手段に出力する可視警報出力部と、前記停止要求入力受付部が入力を受け付けるまでの間、前記手続催促警報生成部が生成した可聴警報を前記可聴警報手段に出力する可聴警報出力部と、前記手続通知入力受付部が入力を受け付けた場合に、前記異常が発生した供給設備の復旧作業に着手されているか否かを確認するよう前記設備関係者に催促する旨の可視警報及び可聴警報を生成する着手催促警報生成部と、前記異常が発生した供給設備の復旧作業に着手されていることを通知する旨の入力を受け付ける着手通知入力受付部とを有し、前記可視警報出力部は、前記着手通知入力受付部が入力を受け付けるまでの間、前記着手催促警報生成部が生成した可視警報を更に含む警報を前記可視警報手段に出力し、前記可聴警報出力部は、前記着手催促警報生成部が生成した可視警報を更に含む警報を前記可視警報出力部が出力してから所定時間以内に、前記着手通知入力受付部が入力を受け付けなかった場合、前記停止要求入力受付部が入力を受け付けるまでの間、前記着手催促警報生成部が生成した可聴警報を前記可聴警報手段に出力する。
また、本発明の第２の形態では、設備関係者が視認し得る警報を発報する可視警報手段、及び前記設備関係者が聴取し得る警報を発報する可聴警報手段を有し、供給設備の状態を監視する監視・警報装置であって、前記供給設備に異常が発生した場合に、当該異常が発生したことを示す情報信号の入力を受け付ける情報信号入力受付部と、前記情報信号入力受付部が異常の発生を示す情報信号の入力を受け付けた場合に、前記異常が発生した供給設備を復旧すべく所定の手続を行うよう前記設備関係者に催促する旨の可視警報及び可聴警報を生成する手続催促警報生成部と、前記可聴警報手段によって警報が発報され続けることを停止するよう要求する旨の入力を受け付ける停止要求入力受付部と、前記異常が発生した供給設備を復旧すべく所定の手続を行ったことを通知する旨の入力を受け付ける手続通知入力受付部と、前記手続通知入力受付部が入力を受け付けるまでの間、前記手続催促警報生成部が生成した可視警報を含む警報を前記可視警報手段に出力する可視警報出力部と、前記停止要求入力受付部が入力を受け付けるまでの間、前記手続催促警報生成部が生成した可聴警報を前記可聴警報手段に出力する可聴警報出力部とを有し、前記情報信号入力受付部は、前記供給設備の異常が復旧した場合、当該異常が復旧したことを示す情報信号の入力を受け付け、前記監視・警報装置は、前記情報信号入力受付部が前記供給設備の異常の復旧を示す情報信号の入力を受け付けた後にのみ、前記供給設備の復旧を確認したことを通知する旨の入力を受け付ける復旧確認入力受付部を更に有する。
【００２０】
また、本発明の第３の形態によると、設備関係者が視認し得る警報を発報する可視警報手段、及び前記設備関係者が聴取し得る警報を発報する可聴警報手段を有し、供給設備の状態を監視する監視・警報装置を制御する制御方法であって、前記供給設備に異常が発生した場合に、当該異常が発生したことを示す情報信号の入力を受け付ける情報信号入力受付段階と、前記情報信号入力受付段階において異常の発生を示す情報信号の入力が受け付けられた場合に、前記異常が発生した供給設備を復旧すべく所定の手続を行うよう前記設備関係者に催促する旨の可視警報及び可聴警報を生成する手続催促警報生成段階と、前記可聴警報手段によって警報が発報され続けることを停止するよう要求する旨の入力を受け付ける停止要求入力受付段階と、前記異常が発生した供給設備を復旧すべく所定の手続を行ったことを通知する旨の入力を受け付ける手続通知入力受付段階と、前記手続通知入力受付段階において入力が受け付けられるまでの間、前記手続催促警報生成段階において生成された可視警報を含む警報を前記可視警報手段に出力する可視警報出力段階と、前記停止要求入力受付段階において入力が受け付けられるまでの間、前記手続催促警報生成段階において生成された可聴警報を前記可聴警報手段に出力する可聴警報出力段階と、前記手続通知入力受付段階において入力を受け付けた場合に、前記異常が発生した供給設備の復旧作業に着手されているか否かを確認するよう前記設備関係者に催促する旨の可視警報及び可聴警報を生成する着手催促警報生成段階と、前記異常が発生した供給設備の復旧作業に着手されていることを通知する旨の入力を受け付ける着手通知入力受付段階と、前記着手通知入力受付段階において入力を受け付けるまでの間、前記着手催促警報生成段階において生成された可視警報を更に含む警報を前記可視警報手段に出力する段階と、前記着手催促警報生成段階において生成された可視警報を更に含む警報が出力されてから所定時間以内に、前記着手通知入力受付段階において入力を受け付けなかった場合、前記停止要求入力受付段階において入力を受け付けるまでの間、前記着手催促警報生成段階において生成された可聴警報を前記可聴警報手段に出力する段階を備える。
また、本発明の第３の形態では、設備関係者が視認し得る警報を発報する可視警報手段、及び前記設備関係者が聴取し得る警報を発報する可聴警報手段を有し、供給設備の状態を監視する監視・警報装置を制御する制御方法であって、前記供給設備に異常が発生した場合に、当該異常が発生したことを示す情報信号の入力を受け付ける情報信号入力受付段階と、前記情報信号入力受付段階において異常の発生を示す情報信号の入力が受け付けられた場合に、前記異常が発生した供給設備を復旧すべく所定の手続を行うよう前記設備関係者に催促する旨の可視警報及び可聴警報を生成する手続催促警報生成段階と、前記可聴警報手段によって警報が発報され続けることを停止するよう要求する旨の入力を受け付ける停止要求入力受付段階と、前記異常が発生した供給設備を復旧すべく所定の手続を行ったことを通知する旨の入力を受け付ける手続通知入力受付段階と、前記手続通知入力受付段階において入力が受け付けられるまでの間、前記手続催促警報生成段階において生成された可視警報を含む警報を前記可視警報手段に出力する可視警報出力段階と、前記停止要求入力受付段階において入力が受け付けられるまでの間、前記手続催促警報生成段階において生成された可聴警報を前記可聴警報手段に出力する可聴警報出力段階と、前記供給設備の異常が復旧した場合、当該異常が復旧したことを示す情報信号の入力を受け付ける段階と、前記供給設備の異常の復旧を示す情報信号の入力を受け付けた後にのみ、前記供給設備の復旧を確認したことを通知する旨の入力を受け付ける復旧確認入力受付段階を備える。
【００２１】
本発明の第４の形態によると、設備関係者が視認し得る警報を発報する可視警報手段、及び前記設備関係者が聴取し得る警報を発報する可聴警報手段を有し、供給設備の状態を監視する監視・警報装置用のプログラムであって、前記監視・警報装置を、前記供給設備に異常が発生した場合に、当該異常が発生したことを示す情報信号の入力を受け付ける情報信号入力受付部、前記情報信号入力受付部が異常の発生を示す情報信号の入力を受け付けた場合に、前記異常が発生した供給設備を復旧すべく所定の手続を行うよう前記設備関係者に催促する旨の可視警報及び可聴警報を生成する手続催促警報生成部、前記可聴警報手段によって警報が発報され続けることを停止するよう要求する旨の入力を受け付ける停止要求入力受付部、前記異常が発生した供給設備を復旧すべく所定の手続を行ったことを通知する旨の入力を受け付ける手続通知入力受付部、前記手続通知入力受付部が入力を受け付けるまでの間、前記手続催促警報生成部が生成した可視警報を含む警報を前記可視警報手段に出力する可視警報出力部、前記停止要求入力受付部が入力を受け付けるまでの間、前記手続催促警報生成部が生成した可聴警報を前記可聴警報手段に出力する可聴警報出力部、前記手続通知入力受付部が入力を受け付けた場合に、前記異常が発生した供給設備の復旧作業に着手されているか否かを確認するよう前記設備関係者に催促する旨の可視警報及び可聴警報を生成する着手催促警報生成部、前記異常が発生した供給設備の復旧作業に着手されていることを通知する旨の入力を受け付ける着手通知入力受付部、として機能させ、前記可視警報出力部は、前記着手通知入力受付部が入力を受け付けるまでの間、前記着手催促警報生成部が生成した可視警報を更に含む警報を前記可視警報手段に出力し、前記可聴警報出力部は、前記着手催促警報生成部が生成した可視警報を更に含む警報を前記可視警報出力部が出力してから所定時間以内に、前記着手通知入力受付部が入力を受け付けなかった場合、前記停止要求入力受付部が入力を受け付けるまでの間、前記着手催促警報生成部が生成した可聴警報を前記可聴警報手段に出力する。
また、本発明の第４の形態では、設備関係者が視認し得る警報を発報する可視警報手段、及び前記設備関係者が聴取し得る警報を発報する可聴警報手段を有し、供給設備の状態を監視する監視・警報装置用のプログラムであって、前記監視・警報装置を、前記供給設備に異常が発生した場合に、当該異常が発生したことを示す情報信号の入力を受け付ける情報信号入力受付部、前記情報信号入力受付部が異常の発生を示す情報信号の入力を受け付けた場合に、前記異常が発生した供給設備を復旧すべく所定の手続を行うよう前記設備関係者に催促する旨の可視警報及び可聴警報を生成する手続催促警報生成部、前記可聴警報手段によって警報が発報され続けることを停止するよう要求する旨の入力を受け付ける停止要求入力受付部、前記異常が発生した供給設備を復旧すべく所定の手続を行ったことを通知する旨の入力を受け付ける手続通知入力受付部、前記手続通知入力受付部が入力を受け付けるまでの間、前記手続催促警報生成部が生成した可視警報を含む警報を前記可視警報手段に出力する可視警報出力部、前記停止要求入力受付部が入力を受け付けるまでの間、前記手続催促警報生成部が生成した可聴警報を前記可聴警報手段に出力する可聴警報出力部、として機能させ、前記情報信号入力受付部は、前記供給設備の異常が復旧した場合、当該異常が復旧したことを示す情報信号の入力を受け付け、前記プログラムは、前記監視・警報装置を、前記情報信号入力受付部が前記供給設備の異常の復旧を示す情報信号の入力を受け付けた後にのみ、前記供給設備の復旧を確認したことを通知する旨の入力を受け付ける復旧確認入力受付部として更に機能させる。
【００２２】
なお、上記の発明の概要は、本発明の必要な特徴の全てを列挙したものではなく、これらの特徴群のサブコンビネーションもまた、発明となり得る。
【発明の効果】
【００２３】
以上の説明から明らかなように、この発明によれば、ガスの補充、又は誤作動の是正を要することを報知せしめるにあたり、医療ガス配管設備の供給設備等に異常が生じたことを単に報知するのではなく、異常の復旧に向けた具体的な手続の内容を報知すると共に、その手続を行うよう設備関係者に催促する旨の警報を発報するようにしたので、異常の復旧に向けた手続に詳しくない者であっても対応することができるようになる。
【図面の簡単な説明】
【００２４】
【図１】一実施形態に係る監視・警報システム１００の利用環境の一例を示す図である。
【図２】監視・警報設備１１０のブロック構成の一例を示す図である。
【図３】監視・警報設備１１０の動作フローの一例を示す図である。
【図４】監視・警報設備１１０の動作フローの一例を示す図である。
【図５】監視・警報設備１１０の動作フローの一例を示す図である。
【図６】タッチスクリーン１１１に表示される画面の一例を示す図である。
【図７】タッチスクリーン１１１に表示される画面の一例を示す図である。
【図８】タッチスクリーン１１１に表示される画面の一例を示す図である。
【図９】タッチスクリーン１１１に表示される画面の一例を示す図である。
【図１０】タッチスクリーン１１１に表示される画面の一例を示す図である。
【図１１】タッチスクリーン１１１に表示される画面の一例を示す図である。
【図１２】タッチスクリーン１１１に表示される画面の一例を示す図である。
【図１３】タッチスクリーン１１１に表示される画面の一例を示す図である。
【発明を実施するための形態】
【００２５】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２６】
図１は、一実施形態に係る監視・警報システム１００の利用環境の一例を示す。監視・警報システム１００は、監視・警報設備１１０、複数の圧力センサ１３０ａ〜ｈ（以下、圧力センサ１３０と総称する。）、液面センサ１４０、湿度センサ１５０、複数の異常検知装置１６０ａ〜ｈ（以下、異常検知装置１６０と総称する。）、及び通信回線１７０を備える。なお、通信回線１７０は、種々のローカルネットワークを含む。
【００２７】
監視・警報設備１１０は、医療施設に設置され、医療ガス設備の情報信号を連続して観察でき、運転警報等の異常を設備関係者に知らせる設備である。具体的には、監視・警報設備１１０は、タッチスクリーン１１１及びスピーカ１１２を有する。また、監視・警報設備１１０は、通信回線１７０を介して各異常検知装置１６０と電気的に接続されている。なお、監視・警報設備１１０は、この発明における「監視・警報装置」の一例であってよい。また、タッチスクリーン１１１は、この発明における「可視警報手段」の一例であってよい。また、スピーカ１１２は、この発明における「可聴警報手段」の一例であってよい。
【００２８】
圧力センサ１３０は、各種医療ガスの供給設備１８０ａ〜ｈ（以下、供給設備１８０と総称する。）にそれぞれ設けられ、その送気圧を測定する装置である。なお、医療ガスとは、患者の治療、診断、予防及び手術機器駆動用として使用するガスや混合ガスを指す。具体的には、圧力センサ１３０は、第一供給装置１８０ａ、第二供給装置１８０ｂ、予備供給装置１８０ｃ、超低温液化ガス供給設備１８０ｄ、空気圧縮機供給設備１８０ｅ、混合ガス供給設備１８０ｆ、吸引供給設備１８０ｇ、及び酸素濃縮装置１８０ｈにそれぞれ設けられる。第一供給装置１８０ａとは、送気配管に現に送気している供給源装置である。第二供給装置１８０ｂとは、第一供給装置１８０ａを消費し尽くすか、又は失調のときに自動的に送気する供給源装置である。予備供給装置１８０ｃとは、第一供給装置１８０ａ及び第二供給装置１８０ｂを消費し尽くすか、失調のときに送気する供給源装置である。超低温液化ガス供給設備１８０ｄとは、定置式超低温液化ガス貯槽による供給源装置、又は可搬式超低温液化ガス容器による供給源装置を持つ設備である。空気圧縮機供給設備１８０ｅとは、治療用、手術機器駆動用又はその両方用に設計された圧縮機による医療用空気の供給設備である。混合ガス供給設備１８０ｆとは、ガスを指定の比率で、自動的に混合する供給設備である。吸引供給設備１８０ｇとは、真空ポンプを装備した陰圧の供給設備である。酸素濃縮装置１８０ｈとは、周囲空気から窒素を除去し、酸素濃度の高い気体を生成する装置である。なお、第一供給装置１８０ａ、第二供給装置１８０ｂ、予備供給装置１８０ｃ、超低温液化ガス供給設備１８０ｄ、空気圧縮機供給設備１８０ｅ、混合ガス供給設備１８０ｆ、吸引供給設備１８０ｇ、及び酸素濃縮装置１８０ｈは、この発明における「供給設備」の一例であってよい。
【００２９】
液面センサ１４０は、超低温液化ガス供給設備１８０ｄに設けられ、その液面の高さを測定する装置である。湿度センサ１５０は、空気圧縮機供給設備１８０ｅに設けられ、その供給空気の水分量を測定する装置である。
【００３０】
本実施形態においては、第一供給装置１８０ａに圧力センサ１３０ａが設けられているものとする。また、本実施形態においては、第二供給装置１８０ｂに圧力センサ１３０ｂが設けられているものとする。また、本実施形態においては、予備供給装置１８０ｃに圧力センサ１３０ｃが設けられているものとする。また、本実施形態においては、超低温液化ガス供給設備１８０ｄに圧力センサ１３０ｄ及び液面センサ１４０が設けられているものとする。また、本実施形態においては、空気圧縮機供給設備１８０ｅに圧力センサ１３０ｅ及び湿度センサ１５０が設けられているものとする。また、本実施形態においては、混合ガス供給設備１８０ｆに圧力センサ１３０ｆが設けられているものとする。また、本実施形態においては、吸引供給設備１８０ｇに圧力センサ１３０ｇが設けられているものとする。また、本実施形態においては、酸素濃縮装置１８０ｈに圧力センサ１３０ｈが設けられているものとする。
【００３１】
異常検知装置１６０ａは、第一供給装置１８０ａの異常を検知する装置である。異常検知装置１６０ａは、圧力センサ１３０ａと電気的に接続されている。そして、異常検知装置１６０ａは、圧力センサ１３０ａの測定値に基づいて、第一供給装置１８０ａの異常の有無を検知する。例えば、第一供給装置１８０ａが消費し尽くされたとき、異常検知装置１６０ａは、第一供給装置１８０ａに異常が発生したことを検知する。また、第一供給装置１８０ａのボンベの圧力が最低圧力を下回ったとき、異常検知装置１６０ａは、第一供給装置１８０ａに異常が発生したことを検知する。そして、異常検知装置１６０ａは、第一供給装置１８０ａに異常が発生したことを検知した場合、その旨を示す情報信号を監視・警報設備１１０に送信する。また、異常検知装置１６０ａは、第一供給装置１８０ａの異常が復旧したことを検知した場合、その旨を示す情報信号を監視・警報設備１１０に送信する。
【００３２】
異常検知装置１６０ｂは、第二供給装置１８０ｂの異常を検知する装置である。異常検知装置１６０ｂは、圧力センサ１３０ｂと電気的に接続されている。そして、異常検知装置１６０ｂは、圧力センサ１３０ｂの測定値に基づいて、第二供給装置１８０ｂの異常の有無を検知する。例えば、第二供給装置１８０ｂのボンベの圧力が最低圧力を下回ったとき、異常検知装置１６０ｂは、第二供給装置１８０ｂに異常が発生したことを検知する。そして、異常検知装置１６０ｂは、第二供給装置１８０ｂに異常が発生したことを検知した場合、その旨を示す情報信号を監視・警報設備１１０に送信する。また、異常検知装置１６０ｂは、第二供給装置１８０ｂの異常が復旧したことを検知した場合、その旨を示す情報信号を監視・警報設備１１０に送信する。
【００３３】
異常検知装置１６０ｃは、予備供給装置１８０ｃの異常を検知する装置である。異常検知装置１６０ｃは、圧力センサ１３０ｃと電気的に接続されている。そして、異常検知装置１６０ｃは、圧力センサ１３０ｃの測定値に基づいて、予備供給装置１８０ｃの異常の有無を検知する。例えば、予備供給装置１８０ｃのボンベの圧力が最低圧力を下回ったとき、異常検知装置１６０ｃは、予備供給装置１８０ｃに異常が発生したことを検知する。そして、異常検知装置１６０ｃは、予備供給装置１８０ｃに異常が発生したことを検知した場合、その旨を示す情報信号を監視・警報設備１１０に送信する。また、異常検知装置１６０ｃは、予備供給装置１８０ｃの異常が復旧したことを検知した場合、その旨を示す情報信号を監視・警報設備１１０に送信する。
【００３４】
異常検知装置１６０ｄは、超低温液化ガス供給設備１８０ｄの異常を検知する装置である。異常検知装置１６０ｄは、圧力センサ１３０ｄ及び液面センサ１４０と電気的に接続されている。そして、異常検知装置１６０ｄは、圧力センサ１３０ｄ又は液面センサ１４０の測定値に基づいて、超低温液化ガス供給設備１８０ｄの異常の有無を検知する。例えば、超低温液化ガス供給設備１８０ｄの圧力が、医療施設の管理者が指定業者と協議決定した最低値より低くなったとき、異常検知装置１６０ｄは、超低温液化ガス供給設備１８０ｄに異常が発生したことを検知する。また、超低温液化ガス供給設備１８０ｄの液面が、医療施設の管理者が指定業者と協議決定した最低値より低くなったとき、異常検知装置１６０ｄは、超低温液化ガス供給設備１８０ｄに異常が発生したことを検知する。また、超低温液化ガス供給設備１８０ｄが失調したとき、異常検知装置１６０ｄは、超低温液化ガス供給設備１８０ｄに異常が発生したことを検知する。そして、異常検知装置１６０ｄは、超低温液化ガス供給設備１８０ｄに異常が発生したことを検知した場合、その旨を示す情報信号を監視・警報設備１１０に送信する。また、異常検知装置１６０ｄは、超低温液化ガス供給設備１８０ｄの異常が復旧したことを検知した場合、その旨を示す情報信号を監視・警報設備１１０に送信する。
【００３５】
異常検知装置１６０ｅは、空気圧縮機供給設備１８０ｅの異常を検知する装置である。異常検知装置１６０ｅは、圧力センサ１３０ｅ及び湿度センサ１５０と電気的に接続されている。そして、異常検知装置１６０ｅは、圧力センサ１３０ｅ又は湿度センサ１５０の測定値に基づいて、空気圧縮機供給設備１８０ｅの異常の有無を検知する。例えば、空気圧縮機供給設備１８０ｅが失調したとき、異常検知装置１６０ｅは、空気圧縮機供給設備１８０ｅに異常が発生したことを検知する。また、空気圧縮機供給設備１８０ｅによる供給空気の水分量が規定レベルを超えたとき、異常検知装置１６０ｅは、空気圧縮機供給設備１８０ｅに異常が発生したことを検知する。そして、異常検知装置１６０ｅは、空気圧縮機供給設備１８０ｅに異常が発生したことを検知した場合、その旨を示す情報信号を監視・警報設備１１０に送信する。また、異常検知装置１６０ｄは、空気圧縮機供給設備１８０ｅの異常が復旧したことを検知した場合、その旨を示す情報信号を監視・警報設備１１０に送信する。
【００３６】
異常検知装置１６０ｆは、混合ガス供給設備１８０ｆの異常を検知する装置である。異常検知装置１６０ｆは、圧力センサ１３０ｆと電気的に接続されている。そして、異常検知装置１６０ｆは、圧力センサ１３０ｆの測定値に基づいて、混合ガス供給設備１８０ｆの異常の有無を検知する。例えば、混合ガス供給設備１８０ｆが失調したとき、異常検知装置１６０ｆは、混合ガス供給設備１８０ｆに異常が発生したことを検知する。そして、異常検知装置１６０ｆは、混合ガス供給設備１８０ｆに異常が発生したことを検知した場合、その旨を示す情報信号を監視・警報設備１１０に送信する。また、異常検知装置１６０ｆは、混合ガス供給設備１８０ｆの異常が復旧したことを検知した場合、その旨を示す情報信号を監視・警報設備１１０に送信する。
【００３７】
異常検知装置１６０ｇは、吸引供給設備１８０ｇの異常を検知する装置である。異常検知装置１６０ｇは、圧力センサ１３０ｇと電気的に接続されている。そして、異常検知装置１６０ｇは、圧力センサ１３０ｇの測定値に基づいて、吸引供給設備１８０ｇの異常の有無を検知する。例えば、吸引供給設備１８０ｇが失調したとき、異常検知装置１６０ｇは、吸引供給設備１８０ｇに異常が発生したことを検知する。そして、異常検知装置１６０ｇは、吸引供給設備１８０ｇに異常が発生したことを検知した場合、その旨を示す情報信号を監視・警報設備１１０に送信する。また、異常検知装置１６０ｇは、吸引供給設備１８０ｇの異常が復旧したことを検知した場合、その旨を示す情報信号を監視・警報設備１１０に送信する。
【００３８】
異常検知装置１６０ｈは、酸素濃縮装置１８０ｈの異常を検知する装置である。異常検知装置１６０ｈは、圧力センサ１３０ｈと電気的に接続されている。そして、異常検知装置１６０ｈは、圧力センサ１３０ｈの測定値に基づいて、酸素濃縮装置１８０ｈの異常の有無を検知する。例えば、酸素濃縮装置１８０ｈが失調したとき、異常検知装置１６０ｈは、酸素濃縮装置１８０ｈに異常が発生したことを検知する。そして、異常検知装置１６０ｈは、酸素濃縮装置１８０ｈに異常が発生したことを検知した場合、その旨を示す情報信号を監視・警報設備１１０に送信する。また、異常検知装置１６０ｈは、酸素濃縮装置１８０ｈの異常が復旧したことを検知した場合、その旨を示す情報信号を監視・警報設備１１０に送信する。
【００３９】
供給設備１８０ａに異常が発生すると、監視・警報設備１１０は、供給設備１８０に異常が発生したことを示す情報信号を異常検知装置１６０から受信する。例えば、第一供給装置１８０ａに異常が発生したことを示す情報信号を異常検知装置１６０ａから受信すると、監視・警報設備１１０は、第一供給装置１８０ａに異常が発生したことを設備関係者に報知するための警報を発報する。具体的には、監視・警報設備１１０は、可視信号による警報をタッチスクリーン１１１によって発報し続ける。可視信号による警報は、例えば、タッチスクリーン１１１に黄色いランプを点滅表示させることが考えられる。可視信号による警報は、異常が発生したことについて指定業者への連絡を促す旨のメッセージを含むようにする。また、監視・警報設備１１０は、可聴信号による警報をスピーカ１１２によって発報する。可聴信号による警報は、例えば、スピーカ１１２からブザーを鳴らすことが考えられる。また、監視・警報設備１１０は、例えば、可聴信号による警報を停止させるためのブザー停止ボタンをタッチスクリーン１１１に表示する。更に、監視・警報設備１１０は、例えば、指定業者への連絡が完了したときにタップ操作されるべき連絡確認ボタンをタッチスクリーン１１１に表示する。なお、異常が発生したことについて指定業者への連絡を促す旨のメッセージは、この発明における「供給設備を復旧すべく所定の手続を行うよう設備関係者に催促する旨の可視警報」の一例であってよい。また、この段階において監視・警報設備１１０が発報する可聴信号による警報は、この発明における「供給設備を復旧すべく所定の手続を行うよう設備関係者に催促する旨の可聴警報」の一例であってよい。
【００４０】
そして、ブザー停止ボタンがタップ操作されると、監視・警報設備１１０は、可聴信号による警報の発報を停止する。このとき、設備関係者に異常を報知し続けるために、可視信号による警報は、停止されないようにする。そして、可聴信号による警報の発報を停止してから所定時間経過しても連絡確認ボタンがタップ操作されない場合、監視・警報設備１１０は、可聴信号による警報を再発報する。そして、ブザー停止ボタンが再度タップ操作されると、監視・警報設備１１０は、可聴信号による警報の発報を再停止する。監視・警報設備１１０は、連絡確認ボタンがタップ操作されるまで、このような処理を繰り返す。
【００４１】
そして、連絡確認ボタンがタップ操作されると、監視・警報設備１１０は、タップ操作された時刻を、指定業者への連絡が完了した時刻としてタッチスクリーン１１１に表示する。また、監視・警報設備１１０は、指定業者が到着したか否かを設備関係者に問う旨の警報を発報する。具体的には、監視・警報設備１１０は、可視信号による警報をタッチスクリーン１１１によって発報する。このとき、指定業者への連絡が完了してから指定業者が医療施設に到着するまでに、ある程度の時間が掛かることを鑑み、可聴信号による警報は、発報されないようにする。また、監視・警報設備１１０は、指定業者が到着したときにタップ操作されるべき到着確認ボタンをタッチスクリーン１１１に表示する。なお、指定業者が到着したか否かを設備関係者に問う旨の警報は、この発明における「供給設備の復旧作業に着手されているか否かを確認するよう設備関係者に催促する旨の可視警報」の一例であってよい。
【００４２】
そして、指定業者が到着したか否かを設備関係者に問う旨の警報を発報してから所定時間経過しても到着確認ボタンがタップ操作されない場合、監視・警報設備１１０は、可聴信号による警報をスピーカ１１２によって発報する。また、監視・警報設備１１０は、可聴信号による警報を停止させるためのブザー停止ボタンをタッチスクリーン１１１に表示する。なお、この段階において監視・警報設備１１０が発報する可聴信号による警報は、この発明における「供給設備の復旧作業に着手されているか否かを確認するよう設備関係者に催促する旨の可聴警報」の一例であってよい。
【００４３】
そして、ブザー停止ボタンがタップ操作されると、監視・警報設備１１０は、可聴信号による警報の発報を停止する。このとき、指定業者の到着の確認警報を報知し続けるために、可視信号による警報は、停止されないようにする。そして、可聴信号による警報の発報を停止してから所定時間経過しても到着確認ボタンがタップ操作されない場合、監視・警報設備１１０は、可聴信号による警報を再発報する。そして、ブザー停止ボタンが再度タップ操作されると、監視・警報設備１１０は、可聴信号による警報の発報を再停止する。監視・警報設備１１０は、到着確認ボタンがタップ操作されるまで、このような処理を繰り返す。
【００４４】
そして、到着確認ボタンがタップ操作されると、監視・警報設備１１０は、タップ操作された時刻を、指定業者が到着した時刻としてタッチスクリーン１１１に表示する。また、監視・警報設備１１０は、供給設備１８０の復旧を確認するよう設備関係者に要求する旨の警報を発報する。具体的には、監視・警報設備１１０は、可視信号による警報をタッチスクリーン１１１によって発報する。また、監視・警報設備１１０は、供給設備１８０の復旧後にタップ操作されるべき復旧確認ボタンをタッチスクリーン１１１に表示する。但し、この復旧確認ボタンは、供給設備１８０が復旧するまでタップ操作を受け付けないようにする。なお、供給設備１８０の復旧を確認するよう設備関係者に要求する旨の警報は、この発明における「供給設備の復旧を確認するよう設備関係者に要求する旨の可視警報」の一例であってよい。
【００４５】
そして、異常が発生していた供給設備１８０が復旧したことを示す情報信号を異常検知装置１６０から受信すると、監視・警報設備１１０は、全ての可視警報及び可聴警報の発報を停止する。そして、復旧確認ボタンがタップ操作され、他の供給設備１８０に異常が発生していない場合、監視・警報設備１１０は、供給設備１８０が正常であることを示す可視信号をタッチスクリーン１１１に表示する。供給設備１８０が正常であることを示す可視信号は、例えば、赤色及び黄色以外のランプ表示を点灯させる。
【００４６】
なお、本実施形態では、説明が煩雑になることを防ぐことを目的として、監視・警報システム１００が１つの監視・警報設備１１０を備える構成について説明したが、監視・警報システム１００は、複数の監視・警報設備１１０を備えてよい。
【００４７】
図２は、監視・警報設備１１０のブロック構成の一例を示す。監視・警報設備１１０は、情報信号入力受付部１１３、信号解析部１１４、手続催促警報生成部１１５、停止要求入力受付部１１６、手続通知入力受付部１１７、着手催促警報生成部１１８、着手通知入力受付部１１９、復旧確認警報生成部１２０、復旧確認入力受付部１２１、可視警報出力部１２２、及び可聴警報出力部１２３を有する。以下に、各構成要素の機能及び動作を説明する。
【００４８】
情報信号入力受付部１１３は、異常検知装置１６０から出力された情報信号の入力を受け付ける。具体的には、情報信号入力受付部１１３は、異常検知装置１６０から出力された情報信号の入力を受け付けると信号解析部１１４に送る。
【００４９】
信号解析部１１４は、異常検知装置１６０から出力された情報信号を解析する。具体的には、信号解析部１１４は、異常検知装置１６０から出力された情報信号を情報信号入力受付部１１３から受け取ると、その情報信号を解析する。そして、解析した情報信号が「供給設備１８０に異常が発生したこと」を示している場合、信号解析部１１４は、供給設備１８０に異常が発生したことを示すデータを手続催促警報生成部１１５に送る。また、解析した情報信号が「供給設備１８０の異常が復旧したこと」を示している場合、信号解析部１１４は、供給設備１８０の異常が復旧したことを示すデータを復旧確認入力受付部１２１、可視警報出力部１２２、及び可聴警報出力部１２３に送る。
【００５０】
手続催促警報生成部１１５は、情報信号入力受付部１１３が異常の発生を示す情報信号の入力を受け付けた場合、異常が発生した供給設備１８０を復旧すべく所定の手続を行うよう設備関係者に催促する旨の可視警報及び可聴警報を生成する。具体的には、手続催促警報生成部１１５は、供給設備１８０に異常が発生したことを示すデータを信号解析部１１４から受け取ると、異常が発生した供給設備１８０を復旧すべく所定の手続を行うよう設備関係者に催促する旨の可視警報及び可聴警報を生成する。そして、手続催促警報生成部１１５は、生成した可視警報を示すデータを可視警報出力部１２２に送る。また、手続警報生成部１１６は、生成した可聴警報を示すデータを可聴警報出力部１２３に送る。
【００５１】
停止要求入力受付部１１６は、スピーカ１１２によって警報が発報され続けることを停止するよう要求する旨の入力を受け付ける。具体的には、停止要求入力受付部１１６は、スピーカ１１２によって警報が発報され続けることを停止するよう要求する旨のデータの入力をタッチスクリーン１１１から受け付けると、入力を受け付けたことを示すデータを可聴警報出力部１２３に送る。
【００５２】
手続通知入力受付部１１７は、異常が発生した供給設備１８０を復旧すべく所定の手続を行ったことを通知する旨の入力を受け付ける。具体的には、手続通知入力受付部１１７は、異常が発生した供給設備１８０を復旧すべく所定の手続を行ったことを通知する旨のデータの入力をタッチスクリーン１１１から受け付けると、入力を受け付けたことを示すデータを着手催促警報生成部１１８に送る。
【００５３】
着手催促警報生成部１１８は、手続通知入力受付部１１７が入力を受け付けた場合、異常が発生した供給設備１８０の復旧作業に着手されているか否かを確認するよう設備関係者に催促する旨の可視警報及び可聴警報を生成する。具体的には、着手催促警報生成部１１８は、「異常が発生した供給設備１８０を復旧すべく所定の手続を行ったことを通知する」旨の入力を受け付けたことを示すデータを手続通知入力受付部１１７から受け取ると、その供給設備１８０の復旧作業に着手されているか否かを確認するよう設備関係者に催促する旨の可視警報及び可聴警報を生成する。そして、着手催促警報生成部１１８は、生成した可視警報を示すデータを可視警報出力部１２２に送る。また、着手催促警報生成部１１８は、生成した可聴警報を示すデータを可聴警報出力部１２３に送る。
【００５４】
着手通知入力受付部１１９は、異常が発生した供給設備１８０の復旧作業に着手されていることを通知する旨の入力を受け付ける。具体的には、着手通知入力受付部１１９は、異常が発生した供給設備１８０の復旧作業に着手されていることを通知する旨のデータの入力をタッチスクリーン１１１から受け付けると、入力を受け付けたことを示すデータを復旧確認警報生成部１２０、及び可視警報出力部１２２に送る。
【００５５】
復旧確認警報生成部１２０は、着手通知入力受付部１１９が入力を受け付けた場合、供給設備１８０の異常が復旧したことを確認するよう設備関係者に要求する旨の可視警報を生成する。具体的には、復旧確認警報生成部１２０は、「異常が発生した供給設備１８０の復旧作業に着手されていることを通知する」旨の入力を受け付けたことを示すデータを着手通知入力受付部１１９から受け取ると、その供給設備１８０の異常が復旧したことを確認するよう設備関係者に要求する旨の可視警報を生成する。そして、復旧確認警報生成部１２０は、生成した可視警報を示すデータを可視警報出力部１２２に送る。
【００５６】
復旧確認入力受付部１２１は、情報信号入力受付部１１３が供給設備１８０の異常の復旧を示す情報信号の入力を受け付けた後にのみ、供給設備１８０の復旧を確認したことを通知する旨の入力を受け付ける。具体的には、復旧確認入力受付部１２１は、供給設備１８０の異常が復旧したことを示すデータを信号解析部１１４から受け取った後にのみ、供給設備１８０の復旧を確認したことを通知する旨のデータの入力をタッチスクリーン１１１から受け付ける。そして、復旧確認入力受付部１２１は、供給設備１８０の復旧を確認したことを通知する旨の入力を受け付けると、その旨を示すデータを可視警報出力部１２２に送る。
【００５７】
可視警報出力部１２２は、手続通知入力受付部１１７が入力を受け付けるまでの間、手続催促警報生成部１１５が生成した可視警報を含む警報をタッチスクリーン１１１に出力する。具体的には、可視警報出力部１２２は、可視警報を示すデータを手続催促警報生成部１１５から受け取ると、受け取った可視警報を含む警報の表示データを生成する。そして、可視警報出力部１２２は、生成したデータをタッチスクリーン１１１に出力する。そして、可視警報出力部１２２は、「異常が発生した供給設備１８０を復旧すべく所定の手続を行ったことを通知する」旨の入力を受け付けたことを示すデータを手続通知入力受付部１１７から受け取ると、手続催促警報生成部１１５から受け取った可視警報のうち、所定の手続が行われた供給設備１８０の可視警報を除外した警報の表示データを生成する。そして、可視警報出力部１２２は、生成した表示データをタッチスクリーン１１１に出力する。
【００５８】
また、可視警報出力部１２２は、着手通知入力受付部１１９が入力を受け付けるまでの間、着手催促警報生成部１１８が生成した可視警報を更に含む警報をタッチスクリーン１１１に出力する。具体的には、可視警報出力部１２２は、可視警報を示すデータを着手催促警報生成部１１８から受け取ると、受け取った可視警報を含む表示データを生成する。そして、可視警報出力部１２２は、生成したデータをタッチスクリーン１１１に出力する。そして、可視警報出力部１２２は、「異常が発生した供給設備１８０の復旧作業に着手されていることを通知する」旨の入力を受け付けたことを示すデータを着手通知入力受付部１１９から受け取ると、着手催促警報生成部１１８から受け取った可視警報のうち、復旧作業に着手された供給設備１８０の可視警報を除外した警報の表示データを生成する。そして、可視警報生成部１２２は、生成した表示データをタッチスクリーン１１１に出力する。
【００５９】
また、可視警報出力部１２２は、情報信号入力受付部１１３が異常の復旧を示す情報信号の入力を受け付けた場合、警報の出力を停止する。具体的には、可視警報出力部１２２は、供給設備１８０の異常が復旧したことを示すデータを信号解析部１１４から受け取ると、異常が復旧した供給設備１８０の可視警報を除外した表示データを生成する。なお、この表示データは、供給設備１８０の復旧の確認を設備関係者に求めるためのユーザインターフェースを含むものとする。そして、可視警報出力部１２２は、生成した表示データをタッチスクリーン１１１に出力する。そして、可視警報出力部１２２は、「供給設備１８０の復旧を確認したことを通知する」旨の入力を受け付けたことを示すデータを復旧確認入力受付部１２１から受け取ると、他の供給設備１８０に異常がなければ、全ての供給設備１８０が正常であることを報知する表示データを生成する。そして、可視警報出力部１２２は、生成した表示データをタッチスクリーン１１１に出力する。
【００６０】
可聴警報出力部１２３は、停止要求入力受付部１１６が入力を受け付けるまでの間、手続催促警報生成部１１５が生成した可聴警報をスピーカ１１２に出力する。具体的には、可聴警報出力部１２３は、可聴警報を示すデータを手続催促警報生成部１１５から受け取ると、スピーカ１１２に出力する。そして、可聴警報出力部１２３は、「スピーカ１１２によって警報が発報され続けることを停止するよう要求する」旨の入力を受け付けたことを示すデータを停止要求入力受付部１１６から受け取ると、スピーカ１１２へのデータ出力を停止する。
【００６１】
また、可聴警報出力部１２３は、停止要求入力受付部１１６が入力を受け付けてから所定時間以内に、手続通知入力受付部１１７が入力を受け付けなかった場合、手続催促警報生成部１１５が生成した可聴警報をスピーカ１１２に再度出力する。具体的には、可聴警報出力部１２３は、「スピーカ１１２によって警報が発報され続けることを停止するよう要求する」旨の入力を受け付けたことを示すデータを停止要求入力受付部１１６から受け取ると、所定時間のカウントを開始する。そして、可聴警報出力部１２３は、所定時間のカウントが終了するまでの間に、「異常が発生した供給設備１８０を復旧すべく所定の手続を行ったことを通知する」旨の入力を受け付けたことを示すデータを手続通知入力受付部１１７から受け取ることができなかった場合、手続催促警報生成部１１５から受け取った可聴警報を示すデータをスピーカ１１２に再度出力する。
【００６２】
また、可聴警報出力部１２３は、着手催促警報生成部１１８が生成した可視警報を更に含む警報を可視警報出力部１２２が出力してから所定時間以内に、着手通知入力受付部１１９が入力を受け付けなかった場合、停止要求入力受付部１１６が入力を受け付けるまでの間、着手催促警報生成部１１８が生成した可聴警報をスピーカ１１２に出力する。具体的には、可聴警報出力部１２３は、着手催促警報生成部１１８が生成した可視警報を更に含む警報をタッチスクリーン１１１に出力したことを示すデータを可視警報出力部１２２から受け取ると、所定時間のカウントを開始する。そして、可聴警報出力部１２３は、所定時間のカウントが終了するまでの間に、「異常が発生した供給設備１８０の復旧作業に着手されていることを通知する」旨の入力を受け付けたことを示すデータを着手通知入力受付部１１９から受け取ることができなかった場合、着手催促警報生成部１１８から受け取った可聴警報を示すデータをスピーカ１１２に出力する。そして、可聴警報出力部１２３は、「スピーカ１１２によって警報が発報され続けることを停止するよう要求する」旨の入力を受け付けたことを示すデータを停止要求入力受付部１１６から受け取ると、スピーカ１１２へのデータ出力を停止する。
【００６３】
また、可聴警報出力部１２３は、停止要求入力受付部１１６が入力を受け付けてから所定時間以内に、着手通知入力受付部１１９が入力を受け付けなかった場合、着手催促警報生成部１１８が生成した可聴警報をスピーカ１１２に再度出力する。具体的には、可聴警報出力部１２３は、「スピーカ１１２によって警報が発報され続けることを停止するよう要求する」旨の入力を受け付けたことを示すデータを停止要求入力受付部１１６から受け取ると、所定時間のカウントを開始する。そして、可聴警報出力部１２３は、所定時間のカウントが終了するまでの間に、「異常が発生した供給設備１８０の復旧作業に着手されていることを通知する」旨の入力を受け付けたことを示すデータを着手通知入力受付部１１９から受け取ることができなかった場合、着手催促警報生成部１１８から受け取った可聴警報を示すデータをスピーカ１１２に再度出力する。
【００６４】
また、可聴警報出力部１２２は、情報信号入力受付部１１３が異常の復旧を示す情報信号の入力を受け付けた場合、警報の出力を停止する。具体的には、可聴警報出力部１２２は、供給設備１８０の異常が復旧したことを示すデータを信号解析部１１４から受け取ると、他の供給設備１８０についての可聴警報を示すデータを出力していない場合、スピーカ１１２へのデータの出力を停止する。
【００６５】
図３から図５は、監視・警報設備１１０の動作フローの一例を示す。また、図６から図１３は、タッチスクリーン１１１に表示される画面の一例を示す。
【００６６】
まず、各異常検知装置１６０からそれぞれ出力された情報信号の入力を情報信号入力受付部１１３が受け付けると（Ｓ１０１）、信号解析部１１４は、その情報信号を解析する。
【００６７】
そして、「供給設備１８０にも異常はない」ことをいずれの情報信号も示している場合（Ｓ１０２：Ｎｏ）、可視警報出力部１２２は、全ての供給設備１８０が正常であることを示す表示データを生成し、タッチスクリーン１１１に出力する（Ｓ１０３）。このようにして、タッチスクリーン１１１には、例えば、図６に示すような画面が表示される。なお、全ての供給設備１８０が正常であることを示す画面は、少なくとも一部が緑色に点灯しているものとする。
【００６８】
一方、例えば、「第一供給装置１８０ａに異常がある」ことを異常検知装置１６０ａから送信された情報信号が示している場合（Ｓ１０２：Ｙｅｓ）、手続催促警報生成部１１５は、第一供給装置１８０ａを復旧すべく指定業者に連絡するよう催促する旨の可視警報及び可聴警報を生成する（Ｓ１０４）。なお、第一供給装置１８０ａを復旧すべく指定業者に連絡するよう催促する旨の可視警報及び可聴警報は、この発明における「異常が発生した供給設備を復旧すべく所定の手続を行うよう設備関係者に催促する旨の可視警報及び可聴警報」の一例であってよい。
【００６９】
そして、可視警報出力部１２２は、手続催促警報生成部１１５が生成した可視警報を含む警報をタッチスクリーン１１１に出力する（Ｓ１０５）。このようにして、タッチスクリーン１１１には、例えば、図７に示すような画面が表示される。なお、図中「酸素左バンク空瓶」なる表示は、第一供給装置１８０ａを消費し尽くし、第二供給装置１８０ｂから流れ始めたことを意味している。「酸素左バンク」とは、第一供給装置１８０ａの別称である。また、図中「１０／０４  １３：０３」なる表示は、例えば、第一供給装置１８０ａに異常が発生していると異常検知装置１６０ａが判定した時刻（１０月４日１３時３分）を示している。また、図中「酸素左バンク空瓶」なる表示の下側、且つ「１０／０４  １３：０３」なる表示の右側に表示されているマークは、可聴信号による警報を発報していることを示している。これら「酸素左バンク空瓶」なる表示、「１０／０４  １３：０３」なる表示、及び可聴信号による警報を発報していることを示すマークが表示されている矩形領域の一部は、黄色に点滅している。また、図中「指定業者に連絡後押してください」なる記載のある領域を形成している枠は、第一供給装置１８０ａを消費し尽くしたことを指定業者に連絡後、設備関係者がタップ操作すべき連絡通知ボタンである。そして、連絡通知ボタンがタップ操作されると、手続通知入力受付部１１７は、第一供給装置１８０ａを復旧すべく所定の手続を行ったことを通知する旨の入力を受け付けることになる。また、図中「ブザー停止」なる記載のある領域を形成している枠は、可聴警報の発報を停止する場合にタップ操作すべきブザー停止ボタンである。このブザー停止ボタンがタップ操作されると、停止要求入力受付部１１６は、スピーカ１１２によって警報が発報され続けることを停止するよう要求する旨の入力を受け付けることになる。
【００７０】
一方、可聴警報出力部１２３は、手続催促警報生成部１１５が生成した可聴警報をスピーカ１１２に出力する（Ｓ１０６）。このようにして、スピーカ１１２は、例えば、可聴警報としてブザーを発報することになる。なお、可聴警報出力部１２３は、ブザー停止ボタンがタップ操作され、停止要求入力受付部１１６が入力を受け付けるまで可聴警報をスピーカ１１２に出力し続ける（Ｓ１０６〜Ｓ１０７：Ｎｏの繰り返し）。このようにして、スピーカ１１２は、可聴警報を発報し続けることになる。
【００７１】
そして、ブザー停止ボタンがタップ操作され、停止要求入力受付部１１６が入力を受け付けると（Ｓ１０７：Ｙｅｓ）、可聴警報出力部１２３は、手続催促警報生成部１１５が生成した可聴警報の出力を停止する（Ｓ１０８）。このようにして、スピーカ１１２は、可聴警報の発報を停止することになる。このとき、タッチスクリーン１１１には、例えば、図８に示すような画面が表示される。図７に示す画面と異なる点は、可聴信号による警報の発報が停止されているため、可聴信号による警報を発報していることを示すマークがなくなっている点にある。また、図７に示す画面と異なる点は、ブザー停止ボタンがタップ操作を受け付けない状態となっている点にある。
【００７２】
そして、停止要求入力受付部１１６が入力を受け付けてから所定時間以内に、連絡通知ボタンがタップ操作されずに、手続通知入力受付部１１７が入力を受け付けなかった場合（Ｓ１０９：Ｎｏ〜Ｓ１１０：Ｎｏの繰り返し→Ｓ１０９：Ｙｅｓ）、可聴警報出力部１２３は、手続催促警報生成部１１５が生成した可聴警報をスピーカ１１２に再度出力する（Ｓ１０６に戻る）。このようにして、スピーカ１１２は、可聴信号による警報を再発報することになる。このとき、タッチスクリーン１１１には、例えば、図９に示すような画面が表示される。図８に示す画面と異なる点は、可聴信号による警報が再発報されているため、可聴信号による警報を発報していることを示すマークが表示されている点にある。また、図８に示す画面と異なる点は、ブザー停止ボタンがタップ操作を受け付ける状態となっている点にある。また、図８に示す画面と異なる点は、「酸素左バンク空瓶」なる表示、「１０／０４  １３：０３」なる表示、及び可聴信号による警報を発報していることを示すマークが表示されている矩形領域の全体が黄色に点滅している点にある。また、図８に示す画面と異なる点は、図中「連絡し忘れていませんか？」なる表示が表示されている点にある。なお、「連絡し忘れていませんか？」なる表示は、警報の表示の妨げにならないように表示されればよく、例えば、画面の隅の方にテロップとして表示されるようにしてもよい。また、テロップ表示による場合には、指定業者の連絡先等を併せて表示するようにすると、設備関係者が対応すべき内容を単純明快に伝達するのに効果的である。
【００７３】
一方、停止要求入力受付部１１６が入力を受け付けてから所定時間以内に、連絡通知ボタンがタップ操作されて、手続通知入力受付部１１７が入力を受け付けた場合（Ｓ１０９：Ｎｏ→Ｓ１１０：Ｙｅｓ、又はＳ１０９：Ｎｏ〜Ｓ１１０：Ｎｏの繰り返し→Ｓ１１０：Ｙｅｓ）、着手催促警報生成部１１８は、指定業者が到着したか否かを確認するよう設備関係者に催促する旨の可視警報及び可聴警報を生成する（Ｓ１１１）。なお、指定業者の到着の確認を設備関係者に促す旨の可視警報及び可聴警報は、この発明における「異常が発生した供給設備の復旧作業に着手されているか否かを確認するよう設備関係者に催促する旨の可視警報及び可聴警報」の一例であってよい。また、本実施形態においては、連絡通知ボタンがタップ操作されると手続通知入力受付部１１７が入力を受け付けるようにしているが、指定業者へ連絡を行ったことを通知することができればよく、この実施形態に限らない。例えば、他の実施形態としては、設備関係者が指定業者へ連絡を行った後、その連絡を確認したことの通知を指定業者から通信回線等を介して受信することによって、手続通知入力受付部１１７が入力を受け付けるようにしてもよい。
【００７４】
そして、可視警報出力部１２２は、着手催促警報生成部１１８が生成した可視警報を含む警報をタッチスクリーン１１１に出力する（Ｓ１１２）。このようにして、タッチスクリーン１１１には、例えば、図１０に示すような画面が表示される。図９に示す画面と異なっている点は、可聴信号による警報を発報していることを示すマークがなくなっている点にある。そして、「酸素左バンク空瓶」なる表示、及び「１０／０４  １３：０３」なる表示が表示されている矩形領域の全体ではなく一部が黄色に点滅している。また、図９に示す画面と異なる点は、連絡通知ボタンがなくなっている点にある。その代わり、この画面においては、指定業者への連絡が完了していることを示す表示「連絡済」と、指定業者への連絡が行われた時間を示す表示「１０／０４  １３：１２」とが表示されている。実際には、この表示「１０／０４  １３：１２」によって示されている時間は、連絡通知ボタンがタップ操作された時間である。また、図９に示す画面と異なる点は、「連絡し忘れていませんか？」なる表示がなくなっている点にある。その代わり、この画面においては、「指定業者が到着後押してください」なる表示を付した到着確認ボタンが表示されている。この到着確認ボタンは、業者が到着したことを確認した場合に設備関係者によってタップ操作されるべきボタンである。そして、この到着確認ボタンがタップ操作されると、着手通知入力受付部１１９は、第一供給装置１８０ａの復旧作業に着手されていることを通知する旨の入力を受け付けることになる。また、図９に示す画面と異なっている点は、ブザー停止ボタンがタップ操作を受け付けない状態となっている点にある。
【００７５】
そして、「着手催促警報生成部１１８が生成した可視警報を含む警報の表示データ」を可視警報出力部１２２がタッチスクリーン１１１に出力してから所定時間以内に、到着確認ボタンがタップ操作されて、着手通知入力受付部１１９が入力を受け付けた場合（Ｓ１１３：Ｎｏ→Ｓ１１４：Ｙｅｓ、又はＳ１１３：Ｎｏ〜Ｓ１１４：Ｎｏの繰り返し→Ｓ１１４：Ｙｅｓ）、復旧確認警報生成部１２０は、第一供給装置１８０ａの復旧の確認を促す旨の可視警報を生成する（Ｓ１２０）。なお、第一供給装置１８０ａの復旧の確認を促す旨の可視警報は、この発明における「供給設備の異常が復旧したことを確認するよう設備関係者に要求する旨の可視警報」の一例であってよい。
【００７６】
一方、着手催促警報生成部１１８が生成した可視警報を含む警報をタッチスクリーン１１１に出力してから所定時間以内に、到着確認ボタンがタップ操作されずに、着手通知入力受付部１１９が入力を受け付けなかった場合（Ｓ１１３：Ｙｅｓ、又はＳ１１３：Ｎｏ〜Ｓ１１４：Ｎｏの繰り返し→Ｓ１１３：Ｙｅｓ）、可聴警報出力部１２３は、着手催促警報生成部１１８が生成した可聴警報をスピーカ１１２に出力する（Ｓ１１５）。このようにして、スピーカ１１２は、可聴信号による警報を再発報することになる。このとき、タッチスクリーン１１１には、例えば、図１１に示すような画面が表示される。図１０に示す画面と異なる点は、可聴信号による警報が発報されているため、可聴信号による警報を発報していることを示すマークが表示されている点にある。また、図１０に示す画面と異なる点は、ブザー停止ボタンがタップ操作を受け付ける状態となっている点にある。また、図１０に示す画面と異なる点は、「酸素左バンク空瓶」なる表示、「１０／０４  １３：０３」なる表示、及び可聴信号による警報を発報していることを示すマークが表示されている矩形領域の全体が黄色に点滅している点にある。また、図１０に示す画面と異なる点は、図中「業者は到着しましたか？」なる表示が表示されている点にある。なお、「業者は到着しましたか？」なる表示は、警報の表示の妨げにならないように表示されればよく、例えば、画面の隅の方にテロップとして表示されるようにしてもよい。
【００７７】
そして、ブザー停止ボタンがタップ操作され、停止要求入力受付部１１６が入力を受け付けた場合（Ｓ１１６：Ｙｅｓ）、可聴警報出力部１２３は、着手催促警報生成部１１８が生成した可聴警報の出力を停止する（Ｓ１１７）。このようにして、スピーカ１１２は、可聴警報の発報を停止することになる。このとき、タッチスクリーン１１１には、例えば、図１０に示すような画面が表示される。なお、可聴警報出力部１２３は、ブザー停止ボタンがタップ操作され、停止要求入力受付部１１６が入力を受け付けるまで可聴警報をスピーカ１１２に出力し続ける（Ｓ１１５〜Ｓ１１６：Ｎｏの繰り返し）。このようにして、スピーカ１１２は、可聴警報を発報し続けることになる。
【００７８】
そして、停止要求入力受付部１１６が入力を受け付けてから所定時間以内に、到着確認ボタンがタップ操作されずに、着手通知入力受付部１１９が入力を受け付けなかった場合（Ｓ１１８：Ｙｅｓ、又はＳ１１８：Ｎｏ〜Ｓ１１９：Ｎｏの繰り返し→Ｓ１１８：Ｙｅｓ）、可聴警報出力部１２３は、着手催促警報生成部１１８が生成した可聴警報をスピーカ１１２に再度出力する（Ｓ１１５に戻る）。このようにして、スピーカ１１２は、可聴信号による警報を再発報することになる。このとき、タッチスクリーン１１１には、例えば、図１１に示すような画面が表示される。
【００７９】
一方、停止要求入力受付部１１６が入力を受け付けてから所定時間以内に、到着確認ボタンがタップ操作されて、着手通知入力受付部１１９が入力を受け付けた場合（Ｓ１１８：Ｎｏ→Ｓ１１９：Ｙｅｓ、又はＳ１１８：Ｎｏ〜Ｓ１１９：Ｎｏの繰り返し→Ｓ１１９：Ｙｅｓ）、復旧確認警報生成部１２０は、第一供給装置１８０ａの復旧の確認を促す旨の可視警報を生成する（Ｓ１２０）。
【００８０】
そして、可視警報出力部１２２は、復旧確認警報生成部１１９が生成した可視警報を含む警報を示す表示データをタッチスクリーン１１１に出力する（Ｓ１２１）。このようにして、タッチスクリーン１１１には、例えば、図１２に示すような画面が表示される。図１１に示す画面と異なっている点は、可聴信号による警報を発報していることを示すマークがなくなっている点にある。そして、「酸素左バンク空瓶」なる表示、及び「１０／０４  １３：０３」なる表示が表示されている矩形領域の全体ではなく一部が黄色に点滅している。また、図１１に示す画面と異なる点は、到着確認ボタンがなくなっている点にある。その代わり、この画面においては、指定業者が到着したことを示す表示「到着済」と、指定業者が到着した時間を示す表示「１０／０４  １６：００」とが表示されている。実際には、この表示「１０／０４  １６：００」によって示されている時間は、到着確認ボタンがタップ操作された時間である。また、図１１に示す画面と異なる点は、「業者は到着しましたか？」なる表示がなくなっている点にある。その代わり、この画面においては、「正常に復旧後押してください」なる表示を付した復旧確認ボタンが表示されている。この復旧確認ボタンは、第一供給装置１８０ａが復旧したことを確認した場合に設備関係者によってタップ操作されるべきボタンである。そして、この復旧確認ボタンがタップ操作されると、復旧確認入力受付部１２１は、第一供給装置１８０ａの復旧を確認したことを通知する旨の入力を受け付けたことになる。但し、図１２に示す画面においては、復旧確認ボタンは、タップ操作を受け付けない状態となっている。また、図１１に示す画面と異なっている点は、ブザー停止ボタンがタップ操作を受け付けない状態となっている点にある。
【００８１】
そして、第一供給装置１８０ａの異常が復旧した場合（Ｓ１２２：Ｙｅｓ）、可視警報出力部１２２は、第一供給装置１８０ａについての可視警報を含む警報の表示データの出力を停止する（Ｓ１２３）。そして、復旧確認入力受付部１２１は、第一供給装置１８０ａの異常が復旧した場合にのみ、第一供給装置１８０ａの復旧を確認したことを通知する旨の入力を受け付けるようになる。
【００８２】
そして、「第一供給装置１８０ａの復旧を確認したことを通知する」旨の入力を復旧確認入力受付部１２１が受け付けると（Ｓ１２４：Ｙｅｓ）、他に異常が発生している供給設備１８０がなければ、可視警報出力部１２２は、全ての供給設備１８０が正常であることを示す表示データを生成し、タッチスクリーン１１１に出力する。
【００８３】
なお、本実施形態においては、「復旧確認警報生成部１１９が生成した可視警報を含む警報」を示す表示データを可視警報出力部１２２がタッチスクリーン１１１に出力した後に、第一供給装置１８０ａが復旧した場合を例にとって説明した。しかしながら、実際には、連絡通知ボタンや到着確認ボタンがタップ操作されずに可視警報がタッチスクリーン１１１に表示されたまま、供給設備１８０の異常が復旧したり、異常そのものが単なる誤作動で、すぐに復旧したりすることもある。このような場合にも、可視警報出力部１２２及び可聴警報出力部１２３は、復旧した供給設備１８０についての警報の出力を全て停止する。
【００８４】
以上説明したように、監視・警報システム１００においては、ガスの補充、又は誤作動の是正を要することを報知せしめるにあたり、設備関係者の操作によって警報の発報を停止しても、異常の復旧に向けた所定の手続や確認を行ったことが通知されない場合、所定時間後に再発報するようにしたので、設備関係者への注意の喚起を確実なものとすることができる。
【００８５】
また、この発明によれば、医療ガス配管設備の供給設備１８０等に異常が生じたことを単に報知するのではなく、異常の復旧に向けた具体的な手続の内容を報知すると共に、その手続を行うよう設備関係者に催促する旨の警報を発報するようにしたので、異常の復旧に向けた手続に詳しくない者であっても対応することができるようになる。
【００８６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００８７】
１００  監視・警報システム
１１０  監視・警報設備
１１１  タッチスクリーン
１１２  スピーカ
１１３  情報信号入力受付部
１１４  信号解析部
１１５  手続催促警報生成部
１１６  停止要求入力受付部
１１７  手続通知入力受付部
１１８  着手催促警報生成部
１１９  着手通知入力受付部
１２０  復旧確認警報生成部
１２１  復旧確認入力受付部
１２２  可視警報出力部
１２３  可聴警報出力部
１３０  圧力センサ
１４０  液面センサ
１５０  湿度センサ
１６０  異常検知装置
１７０  通信回線
１８０  供給設備
９０１  ホスト・コントローラ
９０２  ＣＰＵ
９０３  ＲＡＭ
９０４  グラフィック・コントローラ
９０５  表示装置
９０６  入出力コントローラ
９０７  通信インターフェイス
９０８  ハードディスクドライブ
９０９  ＣＤ−ＲＯＭドライブ
９１０  ＲＯＭ
９１１  フレキシブルディスク・ドライブ
９１２  入出力チップ
９９１  ネットワーク通信装置
９９２  ＣＤ−ＲＯＭ
９９３  フレキシブルディスク
【図１】
0005484944.tif 000002
【図２】
0005484944.tif 000003
【図３】
0005484944.tif 000004
【図４】
0005484944.tif 000005
【図５】
0005484944.tif 000006
【図６】
0005484944.tif 000007
【図７】
0005484944.tif 000008
【図８】
0005484944.tif 000009
【図９】
0005484944.tif 000010
【図１０】
0005484944.tif 000011
【図１１】
0005484944.tif 000012
【図１２】
0005484944.tif 000013
【図１３】
0005484944.tif 000014